(57)【要約】【課題】特に、撮像対象が特定の位置に固定されていない場合においても、撮像した画像に関連付けて情報を記録することができるようにする。【解決手段】ビデオカメラ１は、画像１１を撮像し、撮像場所の位置情報（緯度と経度）を検出する。情報記憶装置５１は、撮像対象の識別情報、およびその撮像対象に関連する関連情報を記憶している。ビデオカメラ１は、撮像対象の位置情報と画像に基づいて、情報記憶装置５１に記憶されている撮像対象の関連情報１２を検索し、その関連情報を、画像１１に関連付けて記録する。本発明は、ビデオカメラに適用することができる。【選択図】      図４
2004356718.tif 000002
【特許請求の範囲】
【請求項１】
撮像対象の画像を取得する画像取得手段と、
前記撮像対象の撮像位置を検出する検出手段と、
前記検出手段により検出された前記撮像位置と前記撮像対象の画像に基づいて、前記撮像対象に関連する関連情報を取得する関連情報取得手段と、
前記画像取得手段で取得された前記画像を、前記関連情報取得手段により取得された前記関連情報とともに記録させる記録制御手段と
を備えることを特徴とする情報記録制御装置。
【請求項２】
前記関連情報取得手段により複数の関連情報が取得された場合に、その複数の関連情報から、所望の関連情報を選択する選択手段をさらに備え、
前記記録制御手段は、前記選択手段により選択された前記関連情報を記録させる
ことを特徴とする請求項１に記載の情報記録装置。
【請求項３】
前記関連情報取得手段は、ネットワークを介して通信を行うことにより、前記関連情報を取得する
ことを特徴とする請求項１に記載の情報記録制御装置。
【請求項４】
前記関連情報取得手段は、ＲＦ（Ｒａｄｉｏ  Ｆｒｅｑｕｅｎｃｙ）タグ情報にも基づいて、前記撮像対象に関連する関連情報を取得する
ことを特徴とする請求項１に記載の情報記録制御装置。
【請求項５】
撮像対象の画像を取得する画像取得ステップと、
前記撮像対象の撮像位置を検出する検出ステップと、
前記検出ステップの処理により検出された前記撮像位置と前記撮像対象の画像に基づいて、前記撮像対象に関連する関連情報を取得する関連情報取得ステップと、
前記画像取得ステップの処理で取得された前記画像を、前記関連情報取得ステップの処理により取得された前記関連情報とともに記録させる記録制御ステップと
を含むことを特徴とする情報記録制御方法。
【請求項６】
コンピュータに所定の情報記録制御処理を行わせるプログラムにおいて、
撮像対象の画像を取得する画像取得ステップと、
前記撮像対象の撮像位置を検出する検出ステップと、
前記検出ステップの処理により検出された前記撮像位置と前記撮像対象の画像に基づいて、前記撮像対象に関連する関連情報を取得する関連情報取得ステップと、
前記画像取得ステップの処理で取得された前記画像を、前記関連情報取得ステップの処理により取得された前記関連情報とともに記録させる記録制御ステップと
を備えることを特徴とするプログラム。
【請求項７】
コンピュータに所定の情報記録制御処理を行わせるプログラムが記録されている記録媒体において、
撮像対象の画像を取得する画像取得ステップと、
前記撮像対象の撮像位置を検出する検出ステップと、
前記検出ステップの処理により検出された前記撮像位置と前記撮像対象の画像に基づいて、前記撮像対象に関連する関連情報を取得する関連情報取得ステップと、
前記画像取得ステップの処理で取得された前記画像を、前記関連情報取得ステップの処理により取得された前記関連情報とともに記録させる記録制御ステップと
を備えるプログラムが記録されている
ことを特徴とする記録媒体。
【発明の詳細な説明】
【０００１】
【発明の属する技術分野】
本発明は、情報記録制御装置および情報記録制御方法、記録媒体、並びにプログラムに関し、特に、撮像した画像や音声を、撮像対象に関連する情報とともに記録させることができるようにした情報記録制御装置および情報記録制御方法、記録媒体、並びにプログラムに関する。
【０００２】
【従来の技術】
近年、画像や音声のデジタルデータを磁気テープ、メモリカード等に記録するデジタルカメラ等の画像記録装置が広く利用されている。このデジタルカメラには、撮像した画像情報に加えて、撮像日時やカメラのパラメータを同時に記録することができるものがある。
【０００３】
また、ＧＰＳ（Ｇｌｏｂａｌ  Ｐｏｓｉｔｉｏｎｉｎｇ  Ｓｙｓｔｅｍ）によって撮像場所の位置情報を取得し、その位置情報に基づいて、画像を撮像した撮像対象に関連する関連情報を検索して、その関連情報を、画像に関連付けて記録するカメラ装置も提案されている（例えば、特許文献１）。
【０００４】
【特許文献１】
特開平１１−７２３４８号公報
【０００５】
【発明が解決しようとする課題】
しかしながら、撮像場所の位置情報（撮像位置）に基づいて撮像対象に関連する関連情報を検索した場合、特定の位置に固定されていない撮像対象（例えば、走行中の車等）については関連情報を検索することが困難であるという問題があった。
【０００６】
また、同じ位置に複数の撮像対象がある場合に、ＧＰＳによる撮像位置の位置情報のみでは、撮像対象を特定することが困難であるという問題があった。
【０００７】
本発明は、このような状況に鑑みてなされたものであり、撮像対象の特定を精度良く行い、その撮像対象について、正しい関連情報をその画像とともに記録することができるようにするものである。
【０００８】
【課題を解決するための手段】
本発明の情報記録制御装置は、撮像対象の画像を取得する画像取得手段と、撮像対象の撮像位置を検出する検出手段と、検出手段により検出された撮像位置と撮像対象の画像に基づいて、撮像対象に関連する関連情報を取得する関連情報取得手段と、画像取得手段で取得された画像を、関連情報取得手段により取得された関連情報とともに記録させる記録制御手段とを備えることを特徴とする。
【０００９】
関連情報取得手段により複数の関連情報が取得された場合に、その複数の関連情報から、所望の関連情報を選択する選択手段をさらに備え、記録制御手段は、選択手段により選択された関連情報を記録させるようにすることができる。
【００１０】
関連情報取得手段は、ネットワークを介して通信を行うことにより、関連情報を取得するようにすることができる。
【００１１】
関連情報取得手段は、ＲＦ（Ｒａｄｉｏ  Ｆｒｅｑｕｅｎｃｙ）タグ情報にも基づいて、撮像対象に関連する関連情報を取得するようにすることができる。
【００１２】
本発明の情報記録制御方法は、撮像対象の画像を取得する画像取得ステップと、撮像対象の撮像位置を検出する検出ステップと、検出ステップの処理により検出された撮像位置と撮像対象の画像に基づいて、撮像対象に関連する関連情報を取得する関連情報取得ステップと、画像取得ステップの処理で取得された画像を、関連情報取得ステップの処理により取得された関連情報とともに記録させる記録制御ステップとを含むことを特徴とする。
【００１３】
本発明のプログラムは、撮像対象の画像を取得する画像取得ステップと、撮像対象の撮像位置を検出する検出ステップと、検出ステップの処理により検出された撮像位置と撮像対象の画像に基づいて、撮像対象に関連する関連情報を取得する関連情報取得ステップと、画像取得ステップの処理で取得された画像を、関連情報取得ステップの処理により取得された関連情報とともに記録させる記録制御ステップとを備えることを特徴とする。
【００１４】
本発明のプログラムが記録されている記録媒体は、撮像対象の画像を取得する画像取得ステップと、撮像対象の撮像位置を検出する検出ステップと、検出ステップの処理により検出された撮像位置と撮像対象の画像に基づいて、撮像対象に関連する関連情報を取得する関連情報取得ステップと、画像取得ステップの処理で取得された画像を、関連情報取得ステップの処理により取得された関連情報とともに記録させる記録制御ステップとを備えるプログラムが記録されていることを特徴とする。
【００１５】
本発明においては、撮像対象の画像が取得され、撮像対象の撮像位置が検出される。その撮像位置と撮像対象の画像に基づいて、撮像対象に関連する関連情報が取得され、画像が、その関連情報とともに記録される。
【００１６】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１８】
請求項１に記載の情報記録制御装置（例えば、図２のビデオカメラ１）は、撮像対象の画像を取得する画像取得手段（例えば、図２の画像入力部３１）と、前記撮像対象の撮像位置を検出する検出手段（例えば、図２の検出部３３）と、前記検出手段により検出された前記撮像位置と前記撮像対象の画像に基づいて、前記撮像対象に関連する関連情報を取得する関連情報取得手段（例えば、図２の検索部３４）と、前記画像取得手段で取得された前記画像を、前記関連情報取得手段により取得された前記関連情報とともに記録させる記録制御手段（例えば、図２の記録制御部３５）とを備えることを特徴とする。
【００１９】
請求項２に記載の情報記録制御装置は、前記関連情報取得手段により複数の関連情報が取得された場合に、その複数の関連情報から、所望の関連情報を選択する選択手段（例えば、図２の操作部３７）をさらに備え、前記記録制御手段は、前記選択手段により選択された前記関連情報を記録させることを特徴とする。
【００２０】
請求項５に記載の情報記録制御方法は、撮像対象の画像を取得する画像取得ステップ（例えば、図３のステップＳ１）と、前記撮像対象の撮像位置を検出する検出ステップ（例えば、図３のステップＳ５）と、前記検出ステップの処理により検出された前記撮像位置と前記撮像対象の画像に基づいて、前記撮像対象に関連する関連情報を取得する関連情報取得ステップ（例えば、図３のステップＳ８）と、前記画像取得ステップの処理で取得された前記画像を、前記関連情報取得ステップの処理により取得された前記関連情報とともに記録させる記録制御ステップ（例えば、図３のステップＳ１１）とを含むことを特徴とする。
【００２１】
請求項６に記載のプログラムおよび請求項７に記載の記録媒体のプログラムの各ステップの具体例も、請求項５に記載の情報記録制御方法の各ステップの発明の実施の形態における具体例と同様である。
【００２２】
図１は、本発明を適用したビデオカメラ１の処理の概要を示す図である。
【００２３】
ビデオカメラ１は、撮像対象の画像１１を撮像し、その際、その撮像対象を撮像した撮像場所を表わす位置情報（撮像位置）を検出する。ビデオカメラ１は、撮像対象の画像１１と撮像位置に基づいて、その撮像対象に関連する関連情報１２を検索し、取得する。そして、ビデオカメラ１は、画像１１を関連情報１２とともに記録する。
【００２４】
図２は、ビデオカメラ１の構成例を示す図である。
【００２５】
ビデオカメラ１は、画像入力部３１、音声入力部３２、検出部３３、検索部３４、記録制御部３５、記録部３６、および操作部３７から構成されている。また、ビデオカメラ１は、情報記憶装置５１とインターネット等のネットワークを介して接続可能となっており、情報記憶装置５１との間で、有線または無線により通信を行うことができるようになっている。
【００２６】
画像入力部３１は、撮像対象を撮像して、その撮像対象の画像（信号）のデジタルデータ（画像データ）を取得し、検索部３４と記録制御部３５に供給する。画像入力部３１は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャで構成される。
【００２７】
音声入力部３２は、音声（音）を集音することにより、音声（信号）のデジタルデータ（音声データ）を取得し、記録制御部３５に供給する。音声入力部３２は、例えば、マイクロホンで構成される。
【００２８】
検出部３３は、画像入力部３１で画像を撮像した日時や場所を検出する。即ち、検出部３３は、不図示の計時部で計時された撮像日時を検出するとともに、ＧＰＳにより画像の撮像場所を表わす、例えば、緯度および経度などの位置情報（撮像位置）を検出する。検出部３３は、検出した撮像日時や位置情報を検索部３４に供給する。
【００２９】
検索部３４は、画像入力部３１から供給される画像データから、撮像対象を特定するための、画像データの代表となる画像（以下、適宜、代表画像と称する）（のデータ）を抽出（または生成）する。そして、検索部３４は、ネットワークを介して、情報記憶装置５１にアクセスし、検出部３３から供給された位置情報および画像データから抽出した代表画像に基づいて、情報記憶装置５１が記憶している登録データの中から、撮像対象に関連する関連情報を検索することにより取得し、記録制御部３５に供給する。
【００３０】
また、検索部３４は、検出部３３から供給される撮像日時を記録制御部３５に供給する。
【００３１】
記録制御部３５は、画像入力部３１から供給される画像データと音声入力部３２から供給される音声データをエンコードし、そのエンコード後の画像データと音声データを、検索部３４から供給される関連情報および撮像日時とともに記録部３６に記録する制御を行う。なお、画像データおよび音声データと、関連情報とは、同一ファイルに記録することもできるし、別のファイルに記録することもできるが、ここでは、別のファイルに記録するものとする。記録部３６としては、例えば、デジタルデータを記録する磁気テープ、メモリカード等を用いることができる。
【００３２】
操作部３７は、ユーザによって操作され、そのユーザの操作に応じて、例えば、撮像開始または撮像終了を指示する信号を、画像入力部３１と音声入力部３２に供給したり、画像信号や音声信号の記録開始または記録終了を指示する信号を、記録制御部３５に供給する。また、検索部３４で複数の関連情報が取得された場合に、ユーザが、操作部３７を操作することにより、その複数の関連情報の中から、所望の関連情報の選択が指示されると、操作部３７は、その選択情報を記録制御部３５に供給する。
【００３３】
情報記憶装置５１は、各種の撮像対象を識別する識別情報をその撮像対象に関連する関連情報（例えば、撮像対象の名称や撮像対象に関する詳細説明を記述したテキスト）とともに、登録データとして記憶している。撮像対象の識別情報としては、例えば、撮像対象が存在する位置情報と撮像対象を１以上の方向から撮像して得られる画像の基準パターンがある。
【００３４】
図３は、図２のビデオカメラ１の撮像記録処理を説明するフローチャートである。この撮像記録処理は、ユーザが操作部３７を操作することにより撮像開始を指示したとき、開始される。
【００３５】
ステップＳ１において、画像入力部３１と音声入力部３２は、撮像を開始する。即ち、画像入力部３１は、撮像対象の画像データを取得して、その画像データを検索部３４と記録制御部３５に供給し、音声入力部３２は、撮像対象の音声データを取得して、その音声データを記録制御部３５に供給する。
【００３６】
ステップＳ１の処理後は、ステップＳ２に進み、記録制御部３５は、画像入力部３１から供給される画像データと音声入力部３２から供給される音声データをエンコードし、そのエンコード後の画像データと音声データを記録部３６に記録し、ステップＳ３に進む。
【００３７】
ステップＳ３において、操作部３７は、ユーザにより撮像停止が指示されたかどうかを判定し、撮像停止が指示されていないと判定した場合、ステップＳ２に戻り、上述した処理を繰り返す。
【００３８】
一方、ステップＳ３において、操作部３７は、ユーザにより撮像停止が指示されたと判定した場合、ステップＳ４に進み、画像入力部３１と音声入力部３２に撮像停止を指示する信号を供給し、ステップＳ５に進む。操作部３７から画像入力部３１と音声入力部３２に、撮像停止を指示する信号が供給されると、画像入力部３１は、撮像対象の画像データの取得を停止し、音声入力部３２は、撮像対象の音声データの取得を停止する。
【００３９】
ステップＳ５において、検出部３３は、不図示の計時部で計時された撮像日時とＧＰＳにより画像の撮像場所を表わす位置情報（撮像位置）を検出して、検索部３４に供給し、ステップＳ６に進む。ステップＳ６において、検索部３４は、画像入力部３１から供給された画像データ（画像入力部３１から供給され、記録部３６に記録された画像データ）から、撮像対象を特定するための代表画像として、例えば、１フレームの画像（のデータ）を抽出する。
【００４０】
ステップＳ６の処理後は、ステップＳ７に進み、検索部３４は、ステップＳ５で検出部３３から供給された位置情報と、ステップＳ６で抽出された代表画像に基づいて、代表画像における撮像対象の関連情報を取得する。
【００４１】
即ち、検索部３４は、情報記憶装置５１にアクセスし、情報記憶装置５１に記憶されている登録データの中から、その登録データにおける識別情報としての位置情報と画像の基準パターンが、撮像対象の位置情報と代表画像の画像パターンにそれぞれ合致するものを検索する。
【００４２】
例えば、代表画像の撮像対象がポスタである場合、検索部３４は、ポスタの撮像場所を表わす位置情報（撮像位置）に基づいて、情報記憶装置５１に記憶されている登録データの中から、ポスタの撮像位置に近い位置の位置情報を識別情報として有する登録データを検索し、さらに、検索された登録データを対象に、その登録データの識別情報として記憶されている画像の基準パターンと、代表画像の画像パターンのマッチングを行い、代表画像の画像パターンに最も類似するものを検索する。
【００４３】
なお、撮像位置に近い位置の位置情報を識別情報として有する登録データの中に、その登録データの識別情報として記憶されている画像の基準パターンが、代表画像の画像パターンに類似するものがない場合は、全ての登録データを対象にマッチングを行い、代表画像の画像パターンに最も類似するものを検索する。
【００４４】
上述したステップＳ７のように、位置情報と代表画像の両方に基づいて、登録データを検索することにより、位置情報のみでは特定することが困難な撮像対象を代表画像の画像パターンにより正確に特定することができる。
【００４５】
さらに、検索部３４は、取得した関連情報と、検出部３３から供給された撮像日時を、記録制御部３５に供給し、ステップＳ７からステップＳ８に進む。
【００４６】
ステップＳ８において、記録制御部３５は、検索部３４から供給された関連情報を選択する。即ち、例えば、記録制御部３５は、検索部３４から複数の関連情報（複数の対象それぞれの関連情報）が供給された場合、その複数の関連情報を、不図示の表示部に表示する。ユーザは、表示部に表示された関連情報の中から、所望の関連情報を選択するように操作部３７を操作し、操作部３７は、その選択情報を記録制御部３５に供給する。なお、検索部３４から１つのまたは複数の関連情報が供給された場合、ステップＳ８では、その関連情報をユーザによる操作部３７の操作に応じて編集することが可能である。また、ステップＳ８の処理は、スキップすることが可能である。
【００４７】
なお、ステップＳ８では、検索部３４から複数の関連情報が供給された場合、その複数の関連情報の中から、代表画像または位置情報の一致度（マッチングの度合い）の高い順に所定数（１以上）の関連情報を選択するようにしてもよい。
【００４８】
ステップＳ８の処理後は、ステップＳ９に進み、操作部３７は、ユーザにより、関連情報の記録開始が指示されたかどうかを判定し、記録開始が指示されていないと判定した場合、記録開始が指示されるまで待機する。
【００４９】
一方、ステップＳ９において、操作部３７は、ユーザにより記録開始が指示されたと判定した場合、記録開始を指示する信号を記録制御部３５に供給し、ステップＳ１０に進む。ステップＳ１０において、記録制御部３５は、直前のステップＳ２で記録した画像データおよび音声データに対応付けて、ステップＳ８で選択されたまたはステップＳ７で取得した関連情報および撮像日時を、記録部３６に記録して処理を終了する。
【００５０】
なお、上述した処理では、位置情報と代表画像に基づいて関連情報が検索されたが、検出部３３が、撮像対象に付けられたＲＦタグから撮像対象の情報を表わすＲＦタグ情報を検出し、検索部３４が、位置情報と代表画像の他に、そのＲＦタグ情報にも基づいて、撮像対象に関連する関連情報を検索することも可能である。この場合、情報記憶装置５１の識別情報の中に、ＲＦタグ情報が表す撮像対象も記憶されている。
【００５１】
例えば、美術館において絵画が撮像された場合、検出部３３は、絵画に付けられたＲＦタグから、撮像対象が絵画であることを表わすＲＦタグ情報を検出し、検索部３４が、美術館の位置を表わす位置情報と代表画像の他に、そのＲＦタグ情報にも基づいて、撮像対象である絵画に関連する関連情報を検索する。これにより、位置情報と代表画像のマッチングだけでは困難な撮像対象を正確に特定することができる。
【００５２】
また、検出部３３では、撮像対象の画像と、過去に撮像された、記録部３６に記録されている画像とのマッチングを行い、撮像対象の画像と一致または類似する、過去に撮像された画像に対応付けられている関連情報から、撮像対象を識別する情報を検出するようにすることができる。この場合、検索部３４では、検出部３３で検出された撮像対象を識別する情報をも用いて、その撮像対象の関連情報を検索することができる。
【００５３】
図４は、ビデオカメラ１の処理の概要を説明する図である。
【００５４】
ビデオカメラ１は、撮像対象の画像１１を撮像し、その際、その撮像対象を撮像した撮像場所を表わす位置情報（撮像位置）として緯度と経度を検出する。ビデオカメラ１は、撮像対象の画像１１と撮像位置をキーにして、情報記憶装置５１に記憶されている登録データの中から、その撮像対象に関連する関連情報１２（例えば、撮像地点の観光スポットの詳細テキスト等の撮像対象に関する詳細説明を記述したテキスト）を検索する。
【００５５】
このように、ビデオカメラ１は、位置情報だけでなく、撮像対象の画像、さらには、必要に応じてＲＦタグ情報、その他の撮像対象を識別する情報に基づいて、登録データを検索することにより、位置情報のみでは特定できない撮像対象、例えば、走行中の車などを特定し、その撮像対象に関連する関連情報を取得することができる。
【００５６】
また、ビデオカメラ１は、情報記憶装置５１から取得した関連情報１２を、撮像された画像１１とともに記録する。これにより、記録された画像から所望の画像を検索する場合、タイトルやコメントを予め入力することなく、関連情報から、簡単に画像を検索することができる。
【００５７】
即ち、記録された画像から所望の画像を検索する場合、サムネイル表示などによって画像一覧を表示し、ユーザがその画像一覧から所望の画像を選択する方法が考えられるが、この場合、画像一覧の画像が小さいので、所望の画像かどうかを判断することが困難なことがある。
【００５８】
そこで、ユーザが手入力によって画像にタイトルやコメントを付加し、そのタイトルやコメント文を検索する方法がある。この場合、所望の画像を検索しやすいが、ユーザがタイトルやコメント文を画像ごとにタイプする必要があり面倒である。
【００５９】
ビデオカメラ１では、ユーザがタイトルやコメントをタイプせずに、関連情報から容易に画像を検索することができる。
【００６０】
さらに、画像１１とともに関連情報１２が記録されるので、その関連情報を用いることにより、記録された画像の保存や利用を簡便かつ利便に行うことができる。
【００６１】
なお、上述した説明では、位置情報はＧＰＳを用いて検出されたが、ＤＧＰＳ（Ｄｉｆｆｅｒｅｎｔｉａｌ  Ｇｌｏｂａｌ  Ｐｏｓｉｔｉｏｎｉｎｇ  Ｓｙｓｔｅｍ）等その他の機能を用いて検出されてもよい。
【００６２】
また、上述した説明では、ビデオカメラ１の検索部３４が、関連情報を検索したが、情報記憶装置５１に関連情報を検索させ、その検索結果を取得するようにすることもできる。
【００６３】
さらに、検索部３６で画像マッチングに用いる画像データは、間引いた画像のデータや特徴量でもよい。間引いた画像を画像マッチングに用いた場合、検索部３６における画像マッチングの処理量を少なくすることができる。
【００６４】
上述した一連の処理は、ハードウエアにより実行させることもできるし、ソフトウエアにより実行させることもできる。この場合、上述した処理は、図５に示されるようなパーソナルコンピュータ６００により実行される。
【００６５】
図５において、ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２に記憶されているプログラム、または、記憶部６０８からＲＡＭ（Ｒａｎｄｏｍ  Ａｃｃｅｓｓ  Ｍｅｍｏｒｙ）６０３にロードされたプログラムに従って各種の処理を実行する。ＲＡＭ６０３にはまた、ＣＰＵ６０１が各種の処理を実行する上において必要なデータなどが適宜記憶される。
【００６６】
ＣＰＵ６０１、ＲＯＭ６０２、およびＲＡＭ６０３は、内部バス６０４を介して相互に接続されている。この内部バス６０４にはまた、入出力インターフェース６０５も接続されている。
【００６７】
入出力インターフェース６０５には、キーボード、マウスなどよりなる入力部６０６、ＣＲＴ，ＬＣＤ（Ｌｉｑｕｉｄ  Ｃｒｙｓｔａｌ  Ｄｉｓｐｌａｙ）などよりなるディスプレイ、並びにスピーカなどよりなる出力部６０７、ハードディスクなどより構成される記憶部６０８、モデム、ターミナルアダプタなどより構成される通信部６０９が接続されている。通信部６０９は、電話回線やＣＡＴＶを含む各種のネットワークを介しての通信処理を行なう。
【００６８】
入出力インターフェース６０５にはまた、必要に応じてドライブ６１０が接続され、磁気ディスク、光ディスク、光磁気ディスク、あるいは半導体メモリなどによりなるリムーバブルメディア６２１が適宜装着され、それから読み出されたコンピュータプログラムが、必要に応じて記憶部６０８にインストールされる。
【００６９】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば、汎用のパーソナルコンピュータなどに、ネットワークや記録媒体からインストールされる。
【００７０】
この記録媒体は、図５に示されるように、コンピュータとは別に、ユーザにプログラムを提供するために配布される、プログラムが記録されているリムーバブルメディア６２１よりなるパッケージメディアにより構成されるだけでなく、装置本体に予め組み込まれた状態でユーザに提供される、プログラムが記録されているＲＯＭ６０２や記憶部６０８が含まれるハードディスクなどで構成される。
【００７１】
なお、本明細書において、フローチャートに記載された処理は、ステップとして記載された順序に従って時系列的に行われる処理はもちろん、必ずしも時系列的に処理されなくとも、並列的あるいは個別に実行される処理をも含むものである。
【００７２】
【発明の効果】
以上の如く、本発明によれば、撮像した画像に関連付けて情報を記録することができる。特に、撮像対象が特定の位置に固定されていない場合においても、その撮像対象について正しい関連情報を記録することができる。
【図面の簡単な説明】
【図１】本発明を適用したビデオカメラの処理の概要を示す図である。
【図２】図１のビデオカメラの構成例を示すブロック図である。
【図３】図２のビデオカメラにおける撮像記録処理を説明するフローチャートである。
【図４】ビデオカメラの処理の概要を示す図である。
【図５】パーソナルコンピュータの構成例を示すブロック図である。
【符号の説明】
１  ビデオカメラ，  １１  画像，  １２  関連情報，  ３１  画像入力部，３２  音声入力部，  ３３  検出部，  ３４  検索部，  ３５  記録制御部，
３６  記録部，  ３７  操作部，  ５１  情報記憶装置
【図１】
2004356718.tif 000003
【図２】
2004356718.tif 000004
【図３】
2004356718.tif 000005
【図４】
2004356718.tif 000006
【図５】
2004356718.tif 000007